(57)【特許請求の範囲】
【請求項１】
遊技機の遊技盤に固定され、前記遊技盤に沿って流下する遊技球を受け入れる入賞口を備えた遊技機用可変入賞装置であって、
前記遊技盤に固定される筐体と、
前記遊技盤の盤面と交差する回動軸線を中心として回動するように前記筐体に直接的に又は他部材を介して間接的に支持され、前記入賞口における遊技球の受け入れ状態を所定の抑制状態とする抑制位置と、前記抑制状態のときよりも遊技球が進入し易い状態とする開放位置とで回動変位可能な回動片と、
前記遊技盤の盤面と平行な所定の第１方向に沿って往復動するように前記筐体内で保持され、この往復動に応じて前記回動片を前記抑制位置又は前記開放位置に移動させる伝達部材と、
前記盤面と平行な方向であって且つ前記第１方向と交差する第２方向に沿って往復動する駆動部を備えた駆動源と、
前記駆動部と一体部品として又は別体として設けられると共に前記駆動部と共に前記第２方向に沿って往復動する作動部材と、
前記伝達部材と前記作動部材とを連係動作させる連係機構と、
を備え、
前記駆動源の非駆動時には、前記作動部材が所定の保持位置に維持されると共に、前記連係機構により、前記回動片を前記抑制位置に位置決めするように前記伝達部材が位置保持され、
前記駆動源の前記駆動部が駆動したときには、前記駆動部と連動して前記第２方向に変位する前記作動部材の直線的な動作が、前記連係機構によって前記伝達部材の前記第１方向の直線的な動作に変換され、当該伝達部材の前記第１方向の動作に応じて前記回動片が前記抑制位置から前記開放位置に回動変位することを特徴とする遊技機用可変入賞装置。
【請求項２】
前記伝達部材及び前記作動部材は、前記遊技盤の盤面と交差する方向に並んで設けられ、  前記伝達部材及び前記作動部材のいずれか一方には、前記第１方向及び前記第２方向のいずれに対しても傾斜した方向に延びる作用溝が形成され、他方には、前記作用溝に嵌り込む凸部が形成され、前記作用溝及び前記凸部が前記連係機構として機能しており、
前記連係機構は、前記作動部材が前記第２方向に移動することに応じ、前記凸部が傾斜した前記作用溝内で相対移動するように案内され、この相対移動と連動させて前記伝達部材を前記第１方向に移動させるように構成されていることを特徴とする請求項１に記載の遊技機用可変入賞装置。
【請求項３】
前記伝達部材及び前記作動部材のいずれか一方には、前記作用溝と連続するように前記第２方向に延びるロック溝が形成され、
前記作動部材は、前記第１方向への移動が規制されており、
前記連係機構は、
前記作動部材が前記保持位置に維持され且つ前記回動片が前記抑制位置にあるときに、前記凸部が前記ロック溝内に嵌り込み、
前記駆動部の駆動動作に応じて前記作動部材が前記第２方向に移動する際には、前記凸部が前記作用溝側に移り当該作用溝内で相対移動するように案内され、この相対移動と連動させて前記伝達部材を前記第１方向に移動させ、
前記凸部が前記ロック溝内に嵌り込んだ状態で前記回動片を前記開放位置に変位させようとする外力が加えられた場合には、前記回動片と連動して前記伝達部材が第１方向に移動しようとし、前記凸部が前記作用溝側に移ることなく前記ロック溝内で第１方向への相対移動が規制されることにより前記伝達部材の移動が規制され、前記回動片の回動が阻止されることを特徴とする請求項２に記載の遊技機用可変入賞装置。
【請求項４】
前記伝達部材には、前記作動部材と係合して当該作動部材の作用を受ける係合部と、前記係合部から前記第１方向に沿って延出する延出部とが形成され、前記係合部に前記凸部が形成されており、
前記筐体内には、前記第１方向と直交する方向において前記延出部の両側に、当該延出部の前記第１方向の移動をガイドするガイド部が設けられていることを特徴とする請求項２又は請求項３に記載の遊技機用可変入賞装置。
【請求項５】
前記駆動源は、前記駆動部が軸状に構成され且つ当該駆動部の軸方向が前記遊技盤の盤面に沿った方向と略平行であって且つ横方向となるように配置されていることを特徴とする請求項１から請求項４のいずれか一項に記載の遊技機用可変入賞装置。
【請求項６】
前記筐体は、前記遊技盤の盤面側に取り付けられる台板を備えており、
前記伝達部材は、前記台板と前記駆動源との間に配置され、
前記作動部材が、前記第２方向に移動する前記駆動部に連結されると共に当該駆動部から折り返された形態で前記伝達部材と前記駆動源との間に配置されていることを特徴とする請求項１から請求項５のいずれか一項に記載の遊技機用可変入賞装置。
【請求項７】
前記伝達部材には、前記作動部材と係合して当該作動部材の作用を受ける係合部と、前記係合部から前記第１方向に沿って延出する延出部とが形成され、
前記延出部は、前記係合部から前記第１方向に沿って延びる基端側延出部と、前記基端側延出部よりも先端側に配置され且つ前方側から凹又は凸となる先端側係合部と、を備え、前記先端側係合部が前記回動片に作用する構成をなし、
前記延出部は、前方側が前記筐体の台板の後面側によってガイドされ、
前記基端側延出部の後方側が前記作動部材の前面側によってガイドされるようになっており、
更に、前記先端側係合部の後方側に配置されると共に当該先端側係合部の後方側への移動を規制する後方ガイド部が設けられていることを特徴とする請求項１から請求項６のいずれか一項に記載の遊技機用可変入賞装置。
【請求項８】
請求項１から請求項７のいずれか一項に記載の遊技機用可変入賞装置を備えたことを特徴とする遊技機。
【発明の詳細な説明】
【技術分野】
【０００１】
本発明は、遊技機用可変入賞装置及びそれを備えた遊技機に関するものである。
【背景技術】
【０００２】
近年の遊技機では、遊技者の興趣を高めることを目的として、遊技領域内の中央部付近に配置される液晶表示装置や役物（いわゆるセンター役物）が大型化する傾向にあり、入賞装置等の他の部品は、機能を充実させつつ、よりコンパクトに構成することが求められている。
【０００３】
このような課題に関する技術としては、例えば、特許文献１、２のようなものが提供されている。特許文献１の技術では、プランジャー（３３）が上下方向に移動するように電磁石（２３）が縦置きで配置されており、これら電磁石（２３）及びプランジャー（３３）の前側には、プランジャー（３３）と連動して上下動するスライド板（２５）が設けられている。そして、このスライド板（２５）の上下動によって羽根部材（６，７）を回動させている。
【０００４】
また、特許文献２の技術では、ソレノイド（５）が横置きで配置されており、このソレノイド（５）のプランジャヘッド（７）と連動するように作動部材（６）が設けられている。作動部材（６）は、ソレノイド（５）と可動翼（３ａ，３ｂ）の間で横方向に変位するように構成されており、この作動部材（６）の変位に応じて可動翼（３ａ，３ｂ）が回動するようになっている。
【先行技術文献】
【特許文献】
【０００５】
【特許文献１】特許第３８０９５５２号公報
【特許文献２】特許第４１１７８０８号公報
【発明の概要】
【発明が解決しようとする課題】
【０００６】
上記特許文献１の構成によれば、確かに前後方向の寸法は抑えることができるが、球流路と干渉しない後方位置に電磁石（２３）やプランジャー（３３）を配置しなければならならないため、前後方向（遊技機の奥行方向）の寸法増大が問題となる。特に、近年の遊技機では、液晶表示装置やセンター役物の大型化、或いは遊技機自体の高機能化に起因して、遊技盤裏面側に多種多様な部品（例えば、遊技球の流路や各種電気部品等）が数多く配置される傾向にあり、前後方向（遊技機の奥行方向）の小型化が重要視されている。従って、特許文献１のように前後方向に嵩張りやすい構成は避けるべきであり、このように前後方向のサイズが増大してしまうと、遊技盤裏面側の他部品と干渉しやすく、遊技盤裏面側の各種部品の配置スペースを確保し難くなるという問題が深刻となる。また、特許文献１の構成では、何らかの方法で羽根部材（６，７）に外力が加えられたときに、羽根部材（６，７）が不正に開放してしまうことが懸念される。
【０００７】
一方、特許文献２の構成では、ソレノイド（５）を横置きにしてベニヤ板内に配置しているため、前後方向の嵩張りをある程度抑えることができる。また、特許文献２の構成は、可動翼（３ａ，３ｂ）に不正な外力が加えられたときにロックし得る機構を備えており、不正開放を防止することもできる。しかしながら、特許文献２の構成では、装置構成の複雑化が避けられず、特に可動翼（３ａ，３ｂ）を複雑な形状としなければならない。特に可動翼（３ａ，３ｂ）に形成された特異形状の孔に作動突片（９ａ，９ｂ）を作用させているため、これらの部分を精度高く形成できなかったり、経年劣化などによって寸法精度が低下した場合には、正常時にスムーズに開閉できなかったり、或いは不正操作時に安定的にロックできないことが起こり得る。
【０００８】
本発明は、上述した課題を解決するためになされたものであり、前後方向のコンパクト化を図ると共に、不正開放を効果的に防止し得る構成をより簡易な構成で実現することを目的とする。
【課題を解決するための手段】
【０００９】
本発明は、遊技機の遊技盤に固定され、前記遊技盤に沿って流下する遊技球を受け入れる入賞口を備えた遊技機用可変入賞装置であって、
前記遊技盤に固定される筐体と、
前記遊技盤の盤面と交差する回動軸線を中心として回動するように前記筐体に直接的に又は他部材を介して間接的に支持され、前記入賞口における遊技球の受け入れ状態を所定の抑制状態とする抑制位置と、前記抑制状態のときよりも遊技球が進入し易い状態とする開放位置とで回動変位可能な回動片と、
前記遊技盤の盤面と平行な所定の第１方向に沿って往復動するように前記筐体内で保持され、この往復動に応じて前記回動片を前記抑制位置又は前記開放位置に移動させる伝達部材と、
前記盤面と平行な方向であって且つ前記第１方向と交差する第２方向に沿って往復動する駆動部を備えた駆動源と、
前記駆動部と一体部品として又は別体として設けられると共に前記駆動部と共に前記第２方向に沿って往復動する作動部材と、
前記伝達部材と前記作動部材とを連係動作させる連係機構と、
を備え、
前記駆動源の非駆動時には、前記作動部材が所定の保持位置に維持されると共に、前記連係機構により、前記回動片を前記抑制位置に位置決めするように前記伝達部材が位置保持され、
前記駆動源の前記駆動部が駆動したときには、前記駆動部と連動して前記第２方向に変位する前記作動部材の直線的な動作が、前記連係機構によって前記伝達部材の前記第１方向の直線的な動作に変換され、当該伝達部材の前記第１方向の動作に応じて前記回動片が前記抑制位置から前記開放位置に回動変位することを特徴とする。
【００１０】
本発明の遊技機は、
上記遊技機用可変入賞装置が遊技盤に固定されていることを特徴とする。
【発明の効果】
【００１１】
本発明の遊技機用可変入賞装置及び遊技機では、遊技盤の盤面と平行な所定の第１方向に沿って往復動する伝達部材と、駆動源の駆動部と共に第２方向に沿って往復動する作動部材と、伝達部材と作動部材とを連係動作させる連係機構とが設けられている。そして、駆動源の非駆動時には、作動部材が所定の保持位置に維持されると共に、連係機構により、回動片を抑制位置に位置決めするように伝達部材が位置保持され、駆動源の駆動部が駆動したときには、駆動部と連動して第２方向に変位する作動部材の直線的な動作が、連係機構によって伝達部材の第１方向の直線的な動作に変換され、当該伝達部材の第１方向の動作に応じて回動片が抑制位置から開放位置に回動変位するようになっている。
この構成では、伝達部材及び作動部材がいずれも遊技盤の盤面と平行な方向に沿って移動するように構成されているため、駆動部の駆動力を回動片に伝達する機構を構成する上で、盤面と直交する方向（前後方向）のサイズを削減しつつ、駆動部の駆動力を効率よく回動片に伝達しやすくなる。また、伝達部材の動作を連係機構によって作動部材の動作に変換できる構成であるため、駆動源の配置に対して回動片の配置や移動方向等が規制され難く、設計の自由度が高められる。
【００１２】
本発明において、伝達部材及び作動部材は、遊技盤の盤面と交差する方向に並んで設けられていてもよい。そして、伝達部材及び作動部材のいずれか一方に、第１方向及び第２方向のいずれに対しても傾斜した方向に延びる作用溝が形成され、他方に、作用溝に嵌り込む凸部が形成され、作用溝及び凸部が連係機構として機能していてもよい。この場合、連係機構は、作動部材が第２方向に移動することに応じ、凸部が傾斜した作用溝内で相対移動するように案内され、この相対移動と連動させて伝達部材を第１方向に移動させるように構成されていることが望ましい。
この構成によれば、作動部材の第２方向への移動力を第１方向への移動力に変換し得る構成を簡易に且つ小型構成で実現できる。
【００１３】
本発明において、伝達部材及び作動部材のいずれか一方に、作用溝と連続するように第２方向に延びるロック溝が形成されていてもよい。そして、作動部材は、第１方向への移動が規制されていてもよい。そして、連係機構は、作動部材が保持位置に維持され且つ回動片が抑制位置にあるときに、凸部がロック溝内に嵌り込み、駆動部の駆動動作に応じて作動部材が第２方向に移動する際には、凸部がロック溝側から作用溝側に移り作用溝内で相対移動するように案内され、この相対移動と連動させて伝達部材を第１方向に移動させるように構成されていてもよい。更に、凸部がロック溝内に嵌り込んだ状態で回動片を開放位置に変位させようとする外力が加えられた場合には、回動片と連動して伝達部材が第１方向に移動しようとし、凸部が作用溝側に移ることなくロック溝内で第１方向への相対移動が規制されることにより伝達部材の移動が規制され、回動片の回動が阻止されるように構成されていてもよい。
この構成によれば、駆動源の動作時には凸部が作用溝側に移るように作動部材を変位させて安定的にロックを解除することができる。一方、回動片に対する不正回動操作時には、回動片と連動する伝達部材の移動が作動部材によって規制されることになり、確実にロックすることが可能な構成をより簡易に実現することができる。すなわち、作動部材が第１方向への移動が規制されているので、作動部材のロック溝又は凸部によって、伝達部材の凸部又はロック溝の第１方向への相対移動が規制され、伝達部材の第１方向への移動、ひいては、回動片の不正回動操作を阻止することができる。
【００１４】
本発明において、伝達部材は、作動部材と係合して当該作動部材の作用を受ける係合部と、係合部から第１方向に沿って延出する延出部とが形成され、係合部に凸部が形成されていてもよい。そして、筐体内には、第１方向と直交する方向（第２方向）において延出部の両側に、当該延出部の第１方向の移動をガイドするガイド部が設けられていてもよい。
この構成によれば、伝達部材の横方向の撓みを効果的に抑制することができ、伝達部材の安定的な可動、ひいては回動片の安定的な可動を実現することができる。また、伝達部材の経年劣化や損傷を低減し易くなる。
【００１５】
本発明において、駆動源は、駆動部が軸状に構成され且つ当該駆動部の軸方向が遊技盤の盤面に沿った方向と略平行であって且つ横方向となるように配置されていてもよい。
この構成によれば、伝達部材の形状や可動領域だけでなく、作動部材や駆動源の形状や可動領域についても前後方向のサイズを抑制することができ、装置全体として前後方向のサイズをより小さくすることができる。
【００１６】
本発明において、筐体は、遊技盤の盤面側に取り付けられる台板を備えていてもよい。そして、伝達部材は、台板と駆動源との間に配置されていてもよい。更に、作動部材が、第２方向に移動する駆動部に連結されると共に当該駆動部から折り返された形態で伝達部材と駆動源との間に配置されていてもよい。
この構成によれば、台板と駆動源の間のスペースを利用して駆動部の駆動力を回動片に伝達できるようになる。従って、前後方向のサイズをより一層抑えることができ、装置全体を一層小型化することができる。
【００１７】
本発明において、伝達部材には、作動部材と係合して当該作動部材の作用を受ける係合部と、係合部から第１方向に沿って延出する延出部とが形成されていてもよい。そして、延出部は、係合部から第１方向に沿って延びる基端側延出部と、基端側延出部よりも先端側に配置され且つ前方側から凹又は凸となる先端側係合部と、を備え、先端側係合部が回動片に作用する構成をなしていてもよい。また、延出部は、前方側が筐体の台板の後面側によってガイドされ、基端側延出部の後方側が作動部材の前面側によってガイドされ、更に、先端側係合部の後方側に配置されると共に当該先端側係合部の後方側への移動を規制する後方ガイド部が設けられていてもよい。
この構成によれば、伝達部材の基端側延出部及び先端側係合部の前後を安定的にガイドすることができるため、伝達部材をより円滑に動作させることができ、ひいては回動片をより安定的に動作させることができる。また、先端部側に設けられた先端側係合部の後方側への移動が後方ガイド部によって規制されるため、伝達部材の反り等を抑えることができ、伝達部材の経年劣化や損傷をより低減し易くなる。
【図面の簡単な説明】
【００１８】
【図１】図１は、本発明の第１実施形態に係る遊技機用可変入賞装置を用いた遊技機を例示する正面図である。
【図２】図２（Ａ）は、第１実施形態に係る遊技機用可変入賞装置を斜め前方側から見た斜視図であり、図２（Ｂ）は、その遊技機用可変入賞装置を斜め後方側から見た斜視図である。
【図３】図３は、図２の遊技機用可変入賞装置を斜め前方側から見た分解斜視図である。
【図４】図４は、図２の遊技機用可変入賞装置を斜め後方側から見た分解斜視図である。
【図５】図５（Ａ）は、図２の遊技機用可変入賞装置の正面図であり、図５（Ｂ）は、その側面図である。
【図６】図６（Ａ）は、図２の遊技機用可変入賞装置の平面図であり、図６（Ｂ）は、その背面図である。
【図７】図７（Ａ）は、図５（Ａ）のＡ−Ａ断面概略図であり、図７（Ｂ）は、図５（Ａ）のＢ−Ｂ断面概略図である。
【図８】図８（Ａ）は、図５（Ｂ）のＣ−Ｃ断面概略図であり、図８（Ｂ）は、図５（Ｂ）のＤ−Ｄ断面概略図である。
【図９】図９（Ａ）は、図５（Ｂ）のＥ−Ｅ断面概略図であり、図９（Ｂ）は、図５（Ｂ）のＦ−Ｆ断面概略図である。
【図１０】図１０（Ａ）は、図２の遊技機用可変入賞装置について、回動片が開放位置にあるときの状態を示す正面図であり、図１０（Ｂ）は、その側面図である。
【図１１】図１１（Ａ）は、回動片が開放位置にあるときの図５（Ａ）のＡ−Ａ位置での切断面を示す断面概略図であり、図１１（Ｂ）は、そのときのＢ−Ｂ位置での切断面を示す断面概略図である。
【図１２】図１２（Ａ）は、回動片が開放位置にあるときの図５（Ｂ）のＣ−Ｃ位置での切断面を示す断面概略図であり、図１２（Ｂ）は、そのときのＤ−Ｄ位置での切断面を示す断面概略図である。
【図１３】図１３（Ａ）は、図２の遊技機用可変入賞装置について、後側ベース部材を取り外した状態を斜め後方側から見た斜視図であり、図１３（Ｂ）は、図２の遊技機用可変入賞装置について、後側ベース部材及び遊技盤固定部材の一部を省略した状態を示す斜視図である。
【図１４】図１４（Ａ）は、回動片が抑制位置にあるときの様子を示す一部破断斜視図であり、図１４（Ｂ）は、回動片が開放位置にあるときの様子を示す一部破断斜視図である。
【図１５】図１５（Ａ）は、図２の遊技機用可変入賞装置について、回動片が抑制位置にあるときの状態を後側ベース部材を省略して示す背面図であり、図１５（Ｂ）は、回動片が開放位置にあるときの状態を後側ベース部材を省略して示す背面図である。
【図１６】図１６（Ａ）は、図２の遊技機用可変入賞装置について、回動片が抑制位置にあるときの状態を後側ベース部材及びソレノイドを省略して示す背面図であり、図１６（Ｂ）は、回動片が開放位置にあるときの状態を後側ベース部材及びソレノイドを省略して示す背面図である。
【図１７】図１７（Ａ）は、図２の遊技機用可変入賞装置について、回動片が抑制位置にあるときの状態を後側ベース部材、ソレノイド、及び作動部材を省略して示す背面図であり、図１７（Ｂ）は、回動片が抑制位置にあるときの状態を後側ベース部材、ソレノイド、作動部材、及び伝達部材を省略して示す背面図である。
【図１８】図１８（Ａ）は、第２実施形態に係る遊技機用可変入賞装置を斜め前方側から見た斜視図であり、図１８（Ｂ）は、その遊技機用可変入賞装置を斜め後方側から見た斜視図である。
【図１９】図１９は、図１８の遊技機用可変入賞装置を斜め前方側から見た分解斜視図である。
【図２０】図２０は、図１８の遊技機用可変入賞装置を斜め後方側から見た分解斜視図である。
【図２１】図２１（Ａ）は、図１８の遊技機用可変入賞装置に関し、回動片が抑制状態のときの側面図であり、図２１（Ｂ）は、回動片が開放状態のときの側面図である。
【図２２】図２２（Ａ）は、図１８の遊技機用可変入賞装置に関し、回動片が開放状態のときの正面図であり、図２２（Ｂ）は、その背面図である。
【図２３】図２３（Ａ）は、図１８の遊技機用可変入賞装置について、回動片が抑制位置にあるときの状態を後側ベース部材を省略して示す背面図であり、図２３（Ｂ）は、その斜視図である。
【図２４】図２４（Ａ）は、図１８の遊技機用可変入賞装置について、回動片が抑制位置にあるときの状態を後側ベース部材及びソレノイドを省略して示す背面図であり、図２４（Ｂ）は、その一部を拡大して示す拡大図である。
【図２５】図２５（Ａ）は、図１８の遊技機用可変入賞装置について、回動片が抑制位置にあるときの状態を後側ベース部材及びソレノイドを省略して示す背面図であり、回動片が開放位置にあるときの状態を後側ベース部材及びソレノイドを省略して示す背面図である。
【図２６】図２６（Ａ）は、回動片が抑制位置にあるときの図２１（Ａ）におけるＪ−Ｊ位置での切断面を示す概略断面図であり、図２６（Ｂ）はそのときのＫ−Ｋ位置での切断面を示す概略断面図である。
【図２７】図２７（Ａ）は、回動片が開放位置にあるときの図２１（Ａ）におけるＪ−Ｊ位置での切断面を示す概略断面図であり、図２７（Ｂ）はそのときのＫ−Ｋ位置での切断面を示す概略断面図である。
【図２８】図２８（Ａ）は、回動片が抑制位置にあるときの図２２（Ａ）におけるＬ−Ｌ位置での切断面を示す概略断面図であり、図２８（Ｂ）は、回動片が開放位置にあるときの図２２（Ａ）におけるＬ−Ｌ位置での切断面を示す概略断面図である。
【図２９】図２９（Ａ）は、回動片が抑制位置にあるときの図２２（Ａ）におけるＭ−Ｍ位置での切断面を示す概略断面図であり、図２９（Ｂ）は、回動片が開放位置にあるときの図２２（Ａ）におけるＭ−Ｍ位置での切断面を示す概略断面図である。
【発明を実施するための形態】
【００１９】
[第１実施形態]
以下、本発明に係る遊技機用可変入賞装置１０及びそれを備えた遊技機１を具現化した第１実施形態について、図面を参照して説明する。なお、図１は、第１実施形態に係る遊技機用可変入賞装置１０を備えた遊技機１を例示する正面図であり、まず、図１を参照して遊技機１の構成を概説する。
【００２０】
（遊技機の構成）
図１に示す遊技機１は、いわゆるパチンコ機として構成されるものであり、木板（ベニヤ板）、アクリル板等によって構成される遊技盤２の盤面(遊技盤２の前面)２ａに沿って遊技球の発射を誘導するガイドレール５が設けられ、このガイドレール５等によって区画された形態で遊技領域が形成されている。また、遊技盤２の中央付近には、各種表示を行い得る液晶表示部３が配置され、この液晶表示部３の下方には、本発明に係る遊技機用可変入賞装置１０が配置されている。なお、遊技機１には、遊技盤２の前方において当該遊技盤２の盤面２ａとほぼ平行に透明板（ガラス板等）が配置され、ガイドレール５等によって区画された遊技領域内において透明板と遊技盤２との間を遊技球が流下するように構成されている。
【００２１】
（遊技機用可変入賞装置の構成）
次に、第１実施形態に係る遊技機用可変入賞装置１０について説明する。
図１に示すように、遊技機用可変入賞装置１０（以下、入賞装置１０ともいう）は、遊技盤２に固定されて用いられるものであり、その一部が遊技盤２の前方側から視認可能となるように露出した状態で配置されている。この入賞装置１０は、遊技盤２に沿って流下する遊技球を受け入れる入賞口２０を備えており、入賞口２０から進入する遊技球を内部に取り込んで後方側に流下させるように機能している。
【００２２】
本明細書において、「前後方向」とは、当該遊技機用可変入賞装置１０が取り付けられる遊技盤２の盤面２ａと直交する方向を意味し、遊技者側を前方側、遊技機奥側を後方側とする。なお、本実施形態では、回動片２１，２２の回動軸線Ａ１，Ａ２と平行な方向が「前後方向」と一致している。
【００２３】
また、「上下方向」とは、遊技領域を遊技球が流下する方向（鉛直方向）を意味し、鉛直上方側を上方、鉛直下方側を下方とする。また、「左右方向」とは、上記「前後方向」及び「上下方向」と直交する方向を意味する。本実施形態では、一対の回動片２１，２２の並び方向（対向方向）が「左右方向」と一致しており、その並び方向及び回動軸線Ａ１、Ａ２の方向と直交する方向が「上下方向」と一致している。
【００２４】
次に、入賞装置１０を構成する各部品について詳述する。
図２〜図４等に示す入賞装置１０は、いわゆる電動チューリップとして構成されており、主として、筐体８０、回動片２１，２２、伝達部材３０、作動部材４０、ソレノイド５０を備えている。
【００２５】
筐体８０は、図７（Ａ）等に示すように遊技盤２に固定されるものであり、図２〜図４に示すように、入賞装置１０の外殻をなしている。この筐体８０は、前側ベース部材８１と、遊技盤固定部材８２と、後側ベース部材８３とによって構成されており、遊技盤２に固定される遊技盤固定部材８２に対して前側から前側ベース部材８１が組み付けられ、遊技盤固定部材８２の後側に後側ベース部材８３が組み付けられるようになっている。
【００２６】
図３、図４に示すように、前側ベース部材８１は、遊技盤２の盤面２ａと略平行に配置される前板８１ａと、回動片２１，２２の下方に配置される底部８１ｂとを有し、底部８１ｂから上方に前板８１ａが立ち上がる形態をなしている。この前側ベース部材８１は、これら前板８１ａ及び底部８１ｂと、一対の回動片２１，２２と、後述する台板９０とによって遊技球を受ける箱状の受け部を構成しており、後述する回動片２１，２２の間に進入した遊技球を底部８１ｂで受け、この遊技球を、台板９０に形成された開口部９０ａを介して底部８１ｂの後方に配置される誘導路９２（後述）に誘導し得る構成をなしている。また、前側ベース部材８１には、前板８１ａから後方側に延びる前後方向の軸部（支軸）８２ａ，８２ｂが突出形態で設けられており、この軸部８２ａ，８２ｂに後述する一対の回動片２１，２２がそれぞれ挿通し、回動可能に保持されるようになっている。
【００２７】
遊技盤固定部材８２は、遊技盤２の盤面２ａに沿って配置される台板９０を備えると共に、誘導路９２と台板９０とが一体的に連結された構成をなしている。図４のように、誘導路９２は、一対の側壁部９２ａ，９２ｂを備えると共に、底壁９２ｃを有している（図８等も参照）。これら一対の側壁部９２ａ，９２ｂ及び底壁９２ｃは、入賞口２０から開口部９０ａに送られた遊技球を後方側に誘導する溝として機能している。また、遊技盤固定部材８２には、誘導路９２を取り囲むように環状の周壁部９４が形成されている。この周壁部９４は、台板９０から後方側に突出すると共に誘導路９２の上下左右を囲むように配置されており、後方側が開口する箱状形態をなしている。
【００２８】
遊技盤固定部材８２に取り付けられる後側ベース部材８３は、遊技盤固定部材８２に形成された環状の周壁部９４の後方側の開口を閉塞するように配置される。この後側ベース部材８３は、板状の後壁部１０１と、この後壁部１０１の前面側から前方に突出する一対のガイド壁１０２，１０３と、誘導路９２の上方側に配置される湾曲壁１０４とを備えている。ガイド壁１０２，１０３は、前方側に突出すると共に上下方向に延びた板状の壁部として構成されており、後述する伝達部材３０を後方側からガイドするように機能している。
【００２９】
次に、回動片２１，２２について説明する。
回動片２１，２２は、図５、図６のように台板９０の前方側に配置されており、遊技盤２の盤面２ａと交差する回動軸線Ａ１，Ａ２（図６（Ａ）等参照）を中心として回動するように筐体８０に直接支持されている。そして、入賞口２０における遊技球の受け入れ状態を所定の抑制状態（相対的に遊技球が進入し難い状態）とする抑制位置（図２、図５等）と、この抑制状態のときよりも遊技球が進入し易い状態とする開放位置（図１０等）とに切り替わるようになっている。
【００３０】
図３、図４に示すように、一対の回動片２１，２２は、それぞれが長手状の回動片本体２１ｃ，２２ｃを備えており、それら回動片本体２１ｃ，２２ｃの長手方向一方寄りの位置に、前後方向に延びる孔部２１ａ，２２ａがそれぞれ形成されている。各回動片２１，２２は、各孔部２１ａ，２２ａに前側ベース部材８１の各軸部８２ａ，８２ｂをそれぞれ挿入させた嵌合状態で、前側ベース部材８１に回動可能に支持され、前板８１ａと台板９０との間において両回動片２１，２２が互いに距離をあけて保持されている。なお、図４等では、回動片２１，２２を保持する軸として、前側ベース部材８１と一体的に形成された軸部８２ａ，８２ｂを例示したが、回動片２１，２２を回動可能に保持しうる構成であればよく、前側ベース部材８１とは別の軸部材として構成されていてもよい。例えば、軸部８２ａ，８２ｂに代えて、台板９０と前側ベース部材８１との間に挟み込む形態で前後方向に延びる一対の軸部材（例えば真鍮ピン等）を組み付け、これら軸部材に、回動片２１、２２が回動可能に支持されるようにしてもよい。
【００３１】
上記構成により、各回動片２１，２２は、図６、図１４のような前後方向の軸線（回動軸線Ａ１，Ａ２）を中心として回動し得るようになっている。また、図３、図４のように、これら一対の回動片２１，２２には、各回動片本体２１ｃ，２２ｃから後方に突出する軸部２１ｂ，２２ｂがそれぞれ形成されている（図８、図１３、図１４も参照）。軸部２１ｂは、長手状の回動片本体２１ｃにおいて、回動軸線Ａ１に対し他端側（先端とは反対側）に設けられ、同様に、軸部２２ｂも、長手状の回動片本体２２ｃにおいて、回動軸線Ａ２に対し他端側（先端とは反対側）に設けられている。各回動片２１，２２は、これら軸部２１ｂ，２２ｂが後述する伝達部材３０の延出部３１，３２によって操作されることにより、それぞれ回動軸線Ａ１，Ａ２を中心として回動動作するようになっている。
【００３２】
図１４、図１７（Ｂ）に示すように、回動片２１は、回動軸線Ａ１よりも内側（回動片２２側）において、軸部２１ｂが回動片本体２１ｃから後方に突出しており、図８、図１４（Ａ）のように、伝達部材３０の延出部３１の先端側に形成された先端側凹部３１ｂが軸部２１ｂを下方位置に押し下げたとき、回動片本体２１ｃの先端部を内側（回動片２２側）に移動させた位置（第１回動位置）に位置決めされる。また、図１４（Ｂ）、図１２のように、延出部３１の先端側凹部３１ｂが軸部２１ｂを上方位置に押し上げたとき、回動片本体２１ｃの先端部を外側（回動片２２とは反対側）に移動させた位置（第２回動位置）に位置決めされる。また、他方の回動片２２も同様であり、図１４、図１７（Ｂ）に示すように、回動軸線Ａ２よりも内側（回動片２１側）において、軸部２２ｂが回動片本体２２ｃから後方に突出しており、図８、図１４（Ａ）のように、延出部３２の先端側に形成された先端側凹部３２ｂが軸部２２ｂを下方位置に押し下げたときに、回動片本体２２ｃの先端部を内側（回動片２１側）に移動させた位置（第１回動位置）に位置決めされる。また、図１２、図１４（Ｂ）のように、先端側凹部３２ｂが軸部２２ｂを上方位置に押し上げたときには、回動片本体２２ｃの先端部を外側に（回動片２１とは反対側）に移動させた位置（第２回動位置）に位置決めされる。このようにして、図５等に示す抑制位置と、図１０等に示す開放位置とに変化する。
【００３３】
次に、ソレノイド５０について説明する。
ソレノイド５０は、「駆動源」の一例に相当するものであり、通電可能なコイルを備えたコイル部５２と、「駆動部」として機能するプランジャ５６と、ばね部材５９とを備えている。このソレノイド５０では、コイル部５２の内部に一部が挿入される構成（具体的にはコイル部５２内のコイルに形成された前後方向の孔内に一部が挿入される構成）で、金属材料などからなる軸状のプランジャ５６が配置されており、コイル部５２の励磁状態に応じてプランジャ５６が駆動されるようになっている。
【００３４】
コイル部５２は、内蔵されたコイルの通電、非通電が切り替えられることにより、励磁状態と非励磁状態とに切り替わるようになっており、コイル部５２が非励磁状態のときには、ばね部材５９によってプランジャ５６の先端部がコイル部５２から離間するように付勢され、プランジャ５６が図１４（Ａ）に示す所定の突出位置に維持されるようになっている。一方、コイル部５２が励磁状態のときには、プランジャ５６がコイル部５２内に引き込まれ、上記突出位置のときよりも突出量が小さくなる状態（没入位置の状態、即ち、プランジャ５６の先端部がコイル部５２に接近する状態）で維持されるようになっている。
【００３５】
また、ソレノイド５０は、軸状に構成されたプランジャ５６の軸方向が遊技盤２の盤面２ａと平行な横方向（左右方向であり、「第２方向」に相当する）に沿うように横向きに配置されており、コイル部５２の通電、非通電に応じてプランジャ５６が横方向に往復動するようになっている。また、図７、図１３、図１５に示すように、ソレノイド５０は、台板９０の後方側において誘導路９２の下方に配置されており、大部分又は全部が遊技盤２の盤面２ａと後面２ｂの間に配されるようになっている。なお、本実施例では、図３〜図５のようにねじ等の締結部材１２０によって筐体８０とソレノイド５０を共締めしているが、遊技盤固定部材８２と後側ベース部材８３とで嵌合するように固定することもでき、このような締結部材１２０を省略してもよい。
【００３６】
次に、作動部材４０について説明する。
作動部材４０は、図３、図４のような形態をなしており、プランジャ５６と別体として設けられると共にプランジャ５６と共に左右方向（第２方向）に沿って往復動し、且つ伝達部材３０を連動させるように機能している。この作動部材４０は、プランジャ５６の先端部と嵌合する略板状の嵌合部４１と、この嵌合部４１から折れ曲がる略板状のスライド板４２とを有しており、嵌合部４１とスライド板４２が略直角となるようにＬ字状に折れ曲がる形態をなしている。図９〜図１５に示すように、嵌合部４１は、厚さ方向が左右方向（横方向）となるようにプランジャ５６の軸線（左右方向に延びる直線）と直交する仮想面に沿って配置されている。また、スライド板４２は、厚さ方向が前後方向となるように盤面２ａと平行な仮想面に沿って配置されている。作動部材４０において、スライド板４２は、嵌合部４１の前端部からコイル部５２側に折れ曲がる形態をなしており、コイル部５２の前側において当該コイル部５２と対峙する構成で配置されている。より詳しくは、左右方向に移動するプランジャ５６の先端部と一体的に連結された作動部材４０の一部（スライド板４２）が、当該プランジャ５６から折り返された形態で後述する伝達部材３０とコイル部５２との間に配置され、この間のスペース（即ち、伝達部材３０とコイル部５２の間のスペース）を利用してスライド板４２が左右方向に往復動するようになっている。
【００３７】
作動部材４０のスライド板４２には、溝部４３が形成されている。この溝部４３は、スライド板４２を厚さ方向に貫通する長孔として構成されており、図１６に示すように、後述する作用溝４５と、この作用溝４５に続く所定方向のロック溝４４とが形成されている。
【００３８】
作用溝４５は、溝部４３の横方向他端側（プランジャ５６が突出する側）において、後述するロック溝４４と連通するように形成されており、後方側から見た場合に左側となるにつれて上方位置となるように（逆に言えば、前方側から見た場合に右側となるにつれて上方位置となるように）、横方向（第２方向）に対してやや傾斜するように形成されている。作用溝４５の上側の内壁部４５ａは、後方側から見た場合に左側となるにつれて上方位置となるように（逆に言えば、前方側から見た場合に右側となるにつれて上方位置となるように）、横方向（第２方向）に対してやや傾斜するように壁面が構成されている。また、下側の内壁部４５ｂも上側の内壁部４５ａとほぼ平行に形成されており、後方側から見た場合に左側となるにつれて上方位置となるように（逆に言えば、前方側から見た場合に右側となるにつれて上方位置となるように）、横方向（第２方向）に対してやや傾斜するように壁面が構成されている。
【００３９】
また、ロック溝４４は、いずれも伝達部材３０の移動方向（本実施例では「第１方向」に相当する上下方向）と交差する方向（具体的には、横方向（第２方向）に沿った方向）に延びている。より詳しくは、図１６に示すように、ロック溝４４の上側の内壁部４４ａは、溝部４３の横方向一端側（プランジャ５６が没入する側）において、後方側から見た場合に右側となるにつれて上方位置となるように（逆に言えば、前方側から見た場合に左側となるにつれて上方位置となるように）、横方向（第２方向）に対してやや傾斜するように形成されている。一方、上側の内壁部４４ａと対向する下側の内壁部は、図１６の例では横方向（第２方向）に沿って形成されているが、上側の内壁部４４ａと同様の傾斜で形成されていてもよい。
【００４０】
このように形成される溝部４３には、伝達部材３０に形成された凸部３３ａが嵌り込むようになっている。溝部４３の幅は、凸部３３ａの径よりもやや大きく構成されており、図１６（Ａ）（Ｂ）のように作動部材４０が横方向（第２方向）に移動することに応じて、凸部３３ａが溝部４０内で相対移動するように案内されるようになっている（図８（Ａ）、図１２（Ａ）の関係も参照）。なお、伝達部材３０は、後述するように第２方向への移動が規制され、上下方向に沿って移動するようになっているため、凸部３３ａも上下方向に沿って移動することになる。従って、作用溝４５が左右に往復動する際に、当該作用溝４５の左右方向における凸部３３ａの位置での高さが変化することに応じて、その位置に追従するように上下方向に沿って凸部３３ａの高さが変化し、伝達部材３０全体も凸部３３ａの高さに対応した高さとなる。
【００４１】
次に、伝達部材３０について説明する。
伝達部材３０は、遊技盤２の盤面２ａと平行な所定の第１方向（図１〜図１７に示す代表例では上下方向）に沿って往復動するように筐体８０内で保持されており、この往復動に応じて回動片２１，２２を抑制位置（図２、図５等）又は開放位置（図１０等）に移動させるように機能している。
【００４２】
伝達部材３０は、図３、図４のように、上述の作動部材４０と係合して当該作動部材４０の作用を受ける係合部３３と、係合部３３から上下方向（第１方向）に沿って延出する一対の延出部３１，３２とを備えている。延出部３１，３２は、上下方向を長手方向とするように長手状に形成されており、係合部３は左右方向を長手方向とするように長手状に形成されている。そして、延出部３１，３２の下端部が係合部３３によって連結されるように構成され、全体として略Ｕ字状の形態をなしている。また、図８、図１７（Ａ）に示すように、延出部３１，３２は、係合部３３から上下方向（第１方向）に沿って延びる基端部３１ａ，３２ａと、基端部３１ａ，３２ａよりも先端側に配置され且つ後方側に凹となる先端側凹部３１ｂ，３２ｂとを備えており、先端側凹部３１ｂ，３２ｂが回動片２１，２２に作用する構成をなしている（図１３、図１４も参照）。なお、基端部３１ａ，３２ａは、「基端側延出部」の一例に相当する。また、先端側凹部３１ｂ，３２ｂは、「先端側係合部」の一例に相当する。
【００４３】
これら延出部３１，３２は、左右方向において少なくとも遊技球の直径以上の距離をあけて配置され、いずれも上下方向を長手方向とする構成で長手状に延びている。また、各延出部３１，３２の下端部付近を互いに連結する形態で、係合部３３が配置されており、この係合部３３の連結により、延出部３１，３２及び係合部３３が一体化されている。なお、延出部３１，３２と係合部３３とは、一体に成形され（例えば樹脂成形等により一体成形され）、その一体成形された全体が伝達部材３０として機能している。
【００４４】
筐体８０内には、延出部３１，３２の左右両側に配置されると共に当該延出部３１，３２の上下方向（第１方向）の移動をガイドするガイド部が設けられている。具体的には、図８〜図１３に示すように、左右方向において延出部３１，３２の間に介在するように誘導路９２が設けられており、誘導路９２の側壁部９２ａが延出部３１の左右方向内側に対向するように配置され、この側壁部９２ａによって延出部３１の内側の上下動をガイドしている。また、誘導路９２の側壁部９２ｂが延出部３２の内側に対向するように配置され、この側壁部９２ｂによって延出部３２の内側の上下動をガイドしている。
【００４５】
更に、延出部３１における先端側凹部３１ｂの前端側の左右方向外側に対向するように先端側凹部３１ｂと僅かに隙間をあけて壁部９７ａが設けられている。また、延出部３２における先端側凹部３２ｂの前端側の左右方向外側に対向するように先端側凹部３２ｂと僅かに隙間をあけて壁部９７ｂが設けられている。
【００４６】
また、図９に示すように、上述のガイド壁１０２が、延出部３１における先端側凹部３１ｂの後端側の左右方向外側に対向するように配置されている。このガイド壁１０２は、延出部３１の外側の上下動をガイドしている。同様に、上述のガイド壁１０３が、延出部３１における先端側凹部３３ｂの後端側の左右方向外側に対向するように配置されている。このガイド壁１０３も、延出部３２の外側の上下動をガイドしている。更に、図８（Ｂ）のように、ガイド壁１０２の下方側にもガイド壁９８ａが設けられており、延出部３１における基端部３１ａの左右方向外側に対向するように配置されている。このガイド壁９８ａも、延出部３１の外側の上下動をガイドしている。同様に、ガイド壁１０３の下方側にもガイド壁９８ｂが設けられており、延出部３２における基端部３２ａの左右方向外側に対向するように配置されている。このガイド壁９８ｂも、延出部３２の外側の上下動をガイドしている。
【００４７】
このように、延出部３１の左右両側が側壁部９２ａとガイド壁１０２、９８ａとによって挟まれ、これらにガイドされる形で延出部３１が上下動するため、延出部３１が円滑且つ安定的に移動することとなる。また、延出部３２の左右両側が側壁部９２ｂとガイド壁１０３、９８ｂとによって挟まれ、これらにガイドされる形で延出部３２が上下動するため、延出部３２が円滑且つ安定的に移動することとなる。
【００４８】
また、延出部３１，３２は、前面側が台板９０の後面側によってガイドされるようになっている（図７、図１７参照）。具体的には、延出部３１，３２に形成された各凸部３１ｄ，３２ｄがそれぞれ台板９０に形成された上下方向の長孔９０ｃ，９０ｄにはまり込むようになっており、台板９０に形成された突起９０ｅ，９０ｆが基端部３１ａ，３２ａの前面に当接するように支持がなされている。このようなガイド状態で、長孔９０ｃ，９０ｄに沿って各凸部３１ｄ，３２ｄが相対移動するように延出部３１，３２が変位するようになっている（図７（Ｂ）、図１１（Ｂ）も参照）。
【００４９】
また、延出部３１，３２は、上述のスライド板４２と前後に重なるように配置されており、基端部３１ａ，３２ａの後面側がスライド板４２の前面と当接し、当該前面によってガイドされるようになっている。スライド板４２は、左右方向に移動するため、前面の前後方向の位置が変化しないようになっており、この前面に沿って基端部３１ａ，３２ａが上下動するようになっている。
【００５０】
更に、図７に示すように、筐体８０内には、先端側凹部３１ｂ，３２ｂの後方側に配置されると共に当該先端側凹部３１ｂ，３２ｂの後方側への移動を規制する後方ガイド部１０５が設けられている。図７に示す後方ガイド部１０５は、先端側凹部３２ｂの後方側に対向しており、延出部３２が後方側に撓み過ぎることを規制するようになっている。なお、先端側凹部３１ｂの後方側にも後方ガイド部１０５と同様の後方ガイド部が設けられており、同様に機能している。また、本実施形態では、先端側凹部３１ｂ，３２ｂがコの字状に屈曲しており、これらの窪みに回動片２１，２２の軸部２１ｂ，２２ｂが嵌り込むようになっているため、前後方向のコンパクト化を図りやすくなっている。また、各先端側凹部３１ｂ，３２ｂの後方に対峙するように後方ガイド部１０５が配置されているため、各先端側凹部３１ｂ，３２ｂが後方側に倒れすぎることがなく、各先端側凹部３１ｂ，３２ｂが回動片２１，２２の軸部２１ｂ，２２ｂから離脱するのを防止している。
【００５１】
このように構成される入賞装置１０では、図１７（Ｂ）のような遊技盤固定部材８２の周壁部９４内に、まず図１７（Ａ）のように伝達部材３０を配置し、その後、図１６のように伝達部材３０の後方側に作動部材４０を配置し、更に、図１５のようにソレノイド５０を配置して、後側ベース部材８３で閉塞するようにすれば、組みつけが行いやすくなる。
【００５２】
次に、作動部材と伝達部材の連係動作について説明する。
本実施形態では、上述の伝達部材３０及び作動部材４０が、台板９０とソレノイド５０との間に配置されており、このような狭いスペース内で互いに連係して動作するようになっている。まず、図１３、図１４（Ａ）のようにソレノイド５０のプランジャ５６が突出位置にあるときには、作動部材４０が所定の保持位置に維持されるようになっている。この場合、図１６（Ａ）のように、作動部材４０は、相対的に左右方向一端側に移動し、凸部３３ａは、溝部４３内において左右方向他端側に設けられたロック溝４４内で保持される。溝部４３においてロック溝４４は相対的に下方位置であるため、凸部３３ａも下方位置となり、これにより、伝達部材３０全体も下方位置で保持される。この状態では、各先端側凹部３１ｂ，３２ｂが回動片２１，２２の軸部２１ｂ，２２ｂを押し下げるため、回動片２１，２２は抑制位置で保持される。このとき、両回動片本体２１ｃ，２２ｃの先端部が近接して入賞口２０が狭い状態となり、入賞口２０は、相対的に遊技球が進入しにくくなる。
【００５３】
そして、このように作動部材４０が保持位置に維持され且つ回動片２１，２２が抑制位置にあるときには、凸部３３ａがロック溝４４に嵌合し続ける。このように凸部３３ａがロック溝４４に嵌合する嵌合状態で回動片２１，２２を開放位置に変位させようとする外力が加えられた場合は、回動片２１，２２と連動する伝達部材３０の移動動作が規制され、回動片２１，２２の回動が阻止される。すなわち、凸部３３ａがロック溝４４の上側の内壁部４４ａに当接し作用溝４５側に移らないため、伝達部材３０の移動動作が規制される。そして、上側の内壁部４４ａが作用溝４５とは反対に傾斜しているため、凸部３３ａが作用溝４５の反対側に相対移動しようとすることで、より確実にロックすることができる。  
【００５４】
一方、図１４（Ｂ）、図１５（Ｂ）のようにソレノイド５０のプランジャ５６がコイル部５２内に引き込まれた没入位置になるときには、作動部材４０が上記保持位置から横方向（第２方向）に退避して退避位置に変化する。このように作動部材４０が横方向（第２方向）に移動することに応じて、凸部３３ａが溝部４３内においてロック溝４４側から作用溝４５側に相対移動するように案内される。そして、凸部３３ａは、作用溝４５内でロック溝４４とは反対側の端部に導かれるように相対移動し、このとき、上下方向の位置が固定されたスライド板４２において、凸部３３ａの位置が相対的に上方位置に変化するため、これに応じて伝達部材３０は上下方向（第１方向）に沿って上昇する。これにより、図１０〜図１２のような状態となり、各延出部３１，３２の上昇に応じて各先端側凹部３１ｂ，３２ｂが回動片２１，２２の軸部２１ｂ，２２ｂを押し上げるため、回動片２１，２２は開放位置で保持される。このとき、両回動片本体２１ｃ，２２ｃの先端部が離間することで、入賞口２０は遊技球が相対的に進入しやすい状態（開放状態）となる。
【００５５】
（第１実施形態の主な効果）
本実施形態の入賞装置１０では、遊技盤２の盤面２ａと平行な所定の第１方向に沿って往復動する伝達部材３０と、ソレノイド５０（駆動源）のプランジャ５６（駆動部）と共に第２方向に沿って往復動する作動部材４０と、伝達部材３０と作動部材４０とを連係動作させる連係機構とが設けられている。そして、ソレノイド５０（駆動源）の非駆動時には、作動部材４０が所定の保持位置に維持されると共に、連係機構により、回動片２１，２２を抑制位置に位置決めするように伝達部材３０が位置保持され、ソレノイド５０（駆動源）のプランジャ５６（駆動部）が駆動したときには、プランジャ５６（駆動部）と連動して第２方向に変位する作動部材４０の直線的な動作が、連係機構によって伝達部材３０の第１方向の直線的な動作に変換され、当該伝達部材３０の第１方向の動作に応じて回動片２１，２２が抑制位置から開放位置に回動変位するようになっている。
この構成では、伝達部材３０及び作動部材４０がいずれも遊技盤２の盤面２ａと平行な方向に沿って移動するように構成されているため、プランジャ５６（駆動部）の駆動力を回動片２１，２２に伝達する機構を構成する上で、盤面２ａと直交する方向（前後方向）のサイズを削減しつつ、ソレノイド５０（駆動源）の駆動力を効率よく伝達し易くなる。また、伝達部材３０の動作を連係機構によって作動部材４０の動作に変換できる構成であるため、ソレノイド５０（駆動源）の配置に対して回動片２１，２２の配置等が規制され難く、設計の自由度が高められる。
【００５６】
また、伝達部材３０及び作動部材４０は、遊技盤２の盤面２ａと交差する方向に並んで設けられている。そして、伝達部材３０及び作動部材４０のいずれか一方（上記の例では作動部材４０側）に、第１方向及び第２方向のいずれに対しても傾斜した方向に延びる作用溝４５が形成され、他方（上記の例では伝達部材３０側）に、作用溝４５に嵌り込む凸部３３ａが形成され、作用溝４５及び凸部３３ａが連係機構として機能している。そして、この連係機構は、作動部材４０が第２方向に移動することに応じ、凸部３３ａが傾斜した作用溝４５内で相対移動するように案内されるようになっており、この相対移動と連動させて伝達部材３０を第１方向に移動させるように構成されている。
この構成によれば、作動部材４０の第２方向への移動力を第１方向への移動力に変換し得る構成を簡易に且つ小型構成で実現できる。
【００５７】
また、伝達部材３０及び作動部材４０のいずれか一方（上記の例では作動部材４０側）に、作用溝４５と連続するように第２方向に延びるロック溝４４が形成されている。そして、作動部材４０は、第１方向への移動が規制されている。更に、連係機構は、作動部材４０が保持位置に維持され且つ回動片２１，２２が抑制位置にあるときに、凸部３３ａがロック溝４４内に嵌り込み、プランジャ５６（駆動部）の駆動動作に応じて作動部材４０が第２方向に移動する際には、凸部３３ａがロック溝４４側から作用溝４５側に移り作用溝４５内で相対移動するように案内され、この相対移動と連動させて伝達部材３０を第１方向に移動させるように構成されている。また、凸部３３ａがロック溝４４内に嵌り込んだ状態で回動片２１，２２を開放位置に変位させようとする外力が加えられた場合には、回動片２１，２２と連動して伝達部材３０が第１方向に移動しようとし、凸部３３ａが作用溝４５側に移ることなくロック溝４４内で第１方向への相対移動が規制されることにより伝達部材３０の移動が規制され、回動片２１，２２の回動が阻止されるようになっている。
この構成によれば、ソレノイド５０（駆動源）の動作時には凸部３３ａが作用溝４５側に移るように作動部材４０を変位させて安定的にロックを解除することができる。一方、回動片２１，２２に対する不正回動操作時には、回動片２１，２２と連動する伝達部材３０の移動が作動部材４０によって規制されることになり、確実にロックすることが可能な構成をより簡易に実現することができる。すなわち、作動部材４０が第１方向への移動が規制されているので、作動部材４０のロック溝４４によって、伝達部材３０の凸部３３ａの第１方向への相対移動が規制され、伝達部材３０の第１方向への移動、ひいては、回動片２１，２２の不正回動操作を阻止することができる。
【００５８】
また、伝達部材３０は、作動部材４０と係合して当該作動部材４０の作用を受ける係合部３３と、係合部３３から第１方向に沿って延出する延出部３１，３２とが形成され、係合部３３に凸部３３ａが形成されている。そして、筐体８０内には、第１方向と直交する方向（第２方向）において延出部３１，３２の両側に、当該延出部３１，３２の第１方向の移動をガイドするガイド部（側壁部９２ａ，９２ｂ、ガイド壁９８ａ，９８ｂ，１０２，１０３）が設けられている。
この構成によれば、伝達部材３０の横方向の撓みを効果的に抑制することができ、伝達部材３０の安定的な可動、ひいては回動片２１，２２の安定的な可動を実現することができる。また、伝達部材３０の経年劣化や損傷を低減し易くなる。
【００５９】
また、ソレノイド５０（駆動源）は、プランジャ５６（駆動部）が軸状に構成され且つ当該プランジャ５６（駆動部）の軸方向が遊技盤２の盤面２ａに沿った方向と略平行であって且つ横方向となるように配置されている。
この構成によれば、伝達部材３０の形状や可動領域だけでなく、作動部材４０やソレノイド５０（駆動源）の形状や可動領域についても前後方向のサイズを抑制することができ、装置全体として前後方向のサイズをより小さくすることができる。
【００６０】
また、筐体８０は、遊技盤２の盤面２ａ側に取り付けられる台板９０を備えており、伝達部材３０は、台板９０とソレノイド５０（駆動源）との間に配置されている。更に、作動部材４０が、第２方向に移動するプランジャ５６（駆動部）に連結されると共に当該プランジャ５６（駆動部）から折り返された形態で伝達部材３０とソレノイド５０（駆動源）との間に配置されている。
この構成によれば、台板９０とソレノイド５０（駆動源）の間のスペースを利用してプランジャ５６（駆動部）の駆動力を回動片２１，２２に伝達できるようになる。従って、前後方向のサイズをより一層抑えることができ、装置全体を一層小型化することができる。
【００６１】
また、伝達部材３０には、作動部材４０と係合して当該作動部材４０の作用を受ける係合部３３と、係合部３３から第１方向に沿って延出する延出部３１，３２とが形成されている。そして、延出部３１，３２は、係合部３３から第１方向に沿って延びる基端部３１ａ，３２ａと、基端部３１ａ，３２ａよりも先端側に配置され且つ前方側から凹となる先端側凹部３１ｂ，３２ｂと、を備え、先端側凹部３１ｂ，３２ｂが回動片２１，２２に作用する構成をなしている。また、延出部３１，３２は、前方側が筐体８０の台板９０の後面側によってガイドされ、基端部３１ａ，３２ａの後方側が作動部材４０の前面側によってガイドされ、更に、先端側凹部３１ｂ，３２ｂの後方側に配置されると共に当該先端側凹部３１ｂ，３２ｂの後方側への移動を規制する後方ガイド部１０５が設けられている。
この構成によれば、伝達部材３０の基端部３１ａ，３２ａ及び先端側凹部３１ｂ，３２ｂも前後を安定的にガイドすることができるため、伝達部材３０をより円滑に動作させることができ、ひいては回動片２１，２２をより安定的に動作させることができる。また、先端部側に設けられた先端側凹部３１ｂ，３２ｂの後方側への移動が後方ガイド部１０５によって規制されるため、伝達部材３０の反り等を抑えることができ、伝達部材３０の経年劣化や損傷をより低減し易くなる。
【００６２】
[第２実施形態]
次に、本発明の第２実施形態について説明する。
なお、本実施形態では、遊技機用可変入賞装置以外の構成は第１実施形態と同様であり、第１実施形態と同様の構成については第１実施形態と同一の符号を付し、詳細な説明は省略する。
本実施形態の遊技機用可変入賞装置２１０も、遊技機１の遊技盤２に固定され、遊技盤２に沿って流下する遊技球を受け入れる入賞口２２０を備えている。この入賞装置２１０も、いわゆる電動チューリップとして構成されており、図１８〜図２０のように、主として、筐体２８０、回動片２２１，２２２、伝達部材２３０、作動部材２４０、ソレノイド２５０を備えている。
【００６３】
図１８〜図２２に示すように、本実施形態の入賞装置２１０でも、外郭をなす筐体２８０が設けられており、この筐体２８０も、前側ベース部材２８１、遊技盤固定部材２８２、後側ベース部材２８３を備えており、遊技盤固定部材２８２に設けられた板状の台板２９０が遊技盤２の盤面２ａに沿うように固定されるようになっている。また、遊技盤固定部材２８２には、台板に直接又は他部材を介して連結される形態で誘導路２９２が設けられており、入賞口２２０で受け入れた遊技球を後方に誘導するように機能している。
【００６４】
また、この入賞装置２１０でも、第１実施形態と同様の一対の回動片２２１，２２２が設けられており、筐体２８０の台板２９０の前面側において、盤面２ａと交差する回動軸線を中心として回動可能となるように支持されている。そして、これら回動片２２１，２２２は、入賞口２２０における遊技球の受け入れ状態を所定の抑制状態とする抑制位置（図１８、図２１（Ａ））と、抑制状態のときよりも遊技球が進入し易い状態とする開放位置（図２１（Ｂ）、図２２（Ａ）)とで変位可能となっている。
【００６５】
ソレノイド２５０は、「駆動源」の一例に相当するものであり、誘導路２９２の下方側に設けられている。このソレノイド２５０は、盤面２ａと平行な方向であって且つ上下方向（第１方向）と直交する横方向（第２方向）に沿って往復動するプランジャ２５６（駆動部）と、通電可能に構成されたコイル部２５２と、ばね部材２５９とを備えている。このソレノイド２５０の動作は、第１実施形態で用いられるソレノイド５０と同様であり、このコイル部２５２の通電状態に応じて、プランジャ２５６を、コイル部２５２内に引き込まれた没入位置と、この没入位置のときよりもコイル部２５２から突出する突出位置との間で直線的に移動させるように機能している。また、ソレノイド２５０は、プランジャ２５６（駆動部）が軸状に構成され且つ当該プランジャ２５６の軸方向が遊技盤２の盤面２ａに沿った方向と略平行であって且つ横方向となるように配置されている。
【００６６】
作動部材２４０は、ソレノイド２５０のプランジャ２５６（駆動部）と別体として設けられると共にプランジャ２５６（駆動部）と共に横方向（第２方向）に沿って往復動し、且つ伝達部材２３０を連動させるように作用するものである。
【００６７】
伝達部材２３０は、遊技盤２の盤面２ａと平行な所定の第１方向（上下方向）に沿って往復動するように筐体２８０内で保持されており、本実施形態でも、伝達部材２３０及び作動部材２４０が、台板２９０とソレノイド２５０との間で動作するように配置されている。この伝達部材２３０は、回動片２２１，２２２と接触可能に構成された作用部（延出部２３１，２３２の先端側凹部２３１ｂ、２３２ｂ）を備えると共に、台板２９０の後方側において作動部材２４０を介してプランジャ２５６の動作に応じて変位するように配されている。そして、プランジャ２５６が突出位置にあるときに回動片２２１，２２２を抑制位置に変位させ、プランジャ２５６が没入位置にあるときに回動片２２１，２２２を開放位置に変位させるように機能している。
【００６８】
また、本実施形態においても、作動部材２４０に溝部２４３ａ，２４３ｂが形成されており、伝達部材２３０には、溝部２４３ａ，２４３ｂに嵌り込む凸部２３３ａ，２３３ｂが形成されており、図２５（Ａ）、図２６（Ｂ）の状態から図２５（Ｂ）、図２７（Ｂ）の状態に変化するように作動部材２４０が横方向（第２方向）に移動することに応じて、凸部２３３ａ，２３３ｂが溝部２４３ａ，２４３ｂ内で相対移動するように案内され、この相対移動に応じて伝達部材２３０が上下方向（第１方向）に移動するようになっている。
【００６９】
また、各溝部２４３ａ，２４３ｂにはそれぞれ、所定方向のロック溝２４４ａ，２４４ｂと、これらロック溝２４４ａ，２４４ｂと傾斜する方向の作用溝２４５ａ，２４５ｂとが形成されており、図２４、図２５（Ａ）、図２６（Ｂ）のように、プランジャ２５６が突出位置に保持されることで作動部材２４０が保持位置に維持され、回動片２２１、２２２が抑制位置にあるときには、凸部２３３ａ，２３３ｂがロック溝２４４ａ，２４４ｂに嵌合するようになっている。このとき、図２３、図２４、図２５（Ａ）、図２６（Ａ）、図２８（Ａ）、図２９（Ａ）のように、作動部材２４０は下降位置で維持される。
【００７０】
また、ロック溝２４４ａ，２４４ｂは左右方向（第２方向、即ち横方向）に沿って延びており、ロック溝２４４ａ，２４４ｂの上面は、左右方向（第２方向、即ち横方向）に対して傾斜している。また、作用溝２４５ａ，２４５ｂは、左右方向（第２方向）に対して傾斜した方向に沿って延びており、ロック溝２４４ａ，２４４ｂの上面の傾斜の向きが、作用溝２４５ａ，２４５ｂの傾斜の向きとは逆向きとされている。そして、図２４、図２５（Ａ）、図２６（Ｂ）のように、凸部２３３ａ，２３３ｂがロック溝２４４ａ，２４４ｂ内に嵌り込んだ状態で回動片２２１，２２２を開放位置に変位させようとする外力が加えられた場合、回動片２２１，２２２と連動する伝達部材２３０の移動動作に応じて凸部２３３ａ，２３３ｂがロック溝２４４ａ，２４４ｂの上面と当接することで、回動片２２１，２２２の回動が阻止されるようになっている。特に、ロック溝２４４ａ，２４４ｂの上面は、作用溝２４５ａ，２４５ｂ側が低くそれとは反対側が高くなるように傾斜しているため、回動片２２１，２２２に強い力が加えられたとしても凸部２３３ａ，２３３ｂは作用溝２４５ａ，２４５ｂ側とは反対側に相対移動するように動作し、ロック溝２４４ａ，２４４ｂ内の作用溝２４５ａ，２４５ｂとは反対側の端部に当接することになる。従って、凸部２３３ａ，２３３ｂの相対移動と共に伝達部材２３０の移動が確実に規制され、回動片２２１，２２２の回動が確実に阻止されることになる。
【００７１】
また、本実施形態では、ロック溝が２つ設けられ、各ロック溝と係合し得るように２つの凸部が設けられているため、不正開放をより確実に防止することができるようになっている。例えば、不正行為によって一方の回動片に外力が働く場合、この回動片に対応した一方の延出部のみに大きな力が加わり、伝達部材２３０に捻じれ撓みが生じることが懸念される。このような場合、ロック溝及び凸部がそれぞれ１つのみであると凸部がロック溝から離脱する虞があるが、本実施形態のようにロック溝が二つ存在し、それぞれに対応するように凸部が設けられていると、２箇所で伝達部材２３０と連係することが可能となり、伝達部材２３０に捻じれや撓みが生じてもロックが解除されにくくなる。
【００７２】
また、ソレノイド２５０の通電に応じてプランジャ２５６が没入位置に変化し、作動部材２４０が第２方向に移動する際には、凸部２３３ａ，２３３ｂが作用溝２４５ａ，２４５ｂ内で相対移動することに応じて伝達部材２３０が上下方向（第１方向）に移動するようになっている（図２５（Ｂ）、図２７（Ａ）、図２８（Ｂ）、図２９（Ｂ）参照）。
【００７３】
また、第２実施形態の構成でも、伝達部材２３０には、作動部材２４０と係合して当該作動部材２４０の作用を受ける係合部２３３と、係合部２３３から第１方向に沿って延出する延出部２３１，２３２とが形成されており、筐体内には、延出部２３１，２３２の左右両側に配置されると共に当該延出部２３１，２３２の第１方向の移動をガイドするガイド部（誘導路２９２の側壁２９２ａ，２９２ｂ、及び各延出部２３１，２３２を挟んで側壁２９２ａ，２９２ｂとは反対側に配されたガイド壁２９８ａ，２９８ｂ（図２６（Ａ）））が設けられている。
【００７４】
また、延出部２３１，２３２は、係合部２３３から第１方向に沿って延びる基端部２３１ａ，２３２ａと、基端部２３１ａ，２３２ａよりも先端側に配置され且つ後方側に凹となる先端側凹部２３１ｂ，２３２ｂと、を備え、先端側凹部２３１ｂ，２３２ｂが回動片２２１，２２２に作用する構成をなしている。また、延出部２３１，２３２は、前方側が筐体２８０の台板２９０の後面側によってガイドされるようになっている。また、基端部２３１ａ，２３２ａの後方側が作動部材２４０の前面側によってガイドされるようになっており、更に、図２７、図２８に示すように、先端側凹部２３１ｂ，２３２ｂの後方側に配置されると共に当該先端側凹部２３１ｂ，２３２ｂの後方側への移動を規制する後方ガイド部２９５が設けられている。
【００７５】
先端側凹部２３１ｂ，２３２ｂは、一対の作用片に相当しており、それら一対の回動片２２１，２２２の各々に対応するように誘導路２９２の両側方にそれぞれ配置されている。また、係合部２３３は、連結部の一例に相当し、この一対の作用片を連結すると共に、誘導路２９の下方側でプランジャ２５６の駆動動作を受けるように配され、この連結部の変位に応じて一対の作用片が動作するように構成されている。
［他の実施形態]
本発明は上記記述及び図面によって説明した実施形態に限定されるものではなく、例えば次のような実施形態も本発明の技術的範囲に含まれる。
【００７６】
上記実施形態では、ロック溝（ロック溝４４，２４４ａ，２４４ｂ）の幅が作用溝（作用溝４５、２４５ａ，２４５ｂ）の幅とほぼ同サイズであり、ロック溝全体が一定の幅で形成された例を示したが、このような形態に限られず、凸部（３３ａ，２３３ａ，２３３ｂ）が上方に相対変位したときに、この凸部が作用溝側に移動し難いように上側の内壁部が形成されていればよい。例えば、第１実施形態の上側の内壁部４４ａ（図１６参照）を変形し、作用溝４５の下端付近から上方に窪むように凹部を形成してもよい。第２実施形態でも同様であり、ロック溝２４４ａ，２４４ｂの上側の内壁部２４４ａ’，２４４ｂ’（図２４（Ｂ）参照）を変形し、作用溝２４５ａ，２４５ｂの各下端付近から上方に窪むように凹部を形成してもよい。
【符号の説明】
【００７７】
１…遊技機
２…遊技盤
２ａ…盤面
１０，２１０…遊技機用可変入賞装置
２０，２２０…入賞口
２１，２２，２２１，２２２…回動片
３０，２３０…伝達部材
３１，３２，２３１，２３２…延出部
３３，２３３…係合部
３１ａ，３２ａ，２３１ａ，２３２ａ…基端部（基端側延出部）
３１ｂ，３２ｂ，２３１ｂ、２３２ｂ…先端側凹部（先端側係合部）
３３ａ，２３３ａ，２３３ｂ…凸部
４０，２４０…作動部材
４３，２４３ａ，２４３ｂ…溝部
４４，２４４ａ，２４４ｂ…ロック溝
４５，２４５ａ，２４５ｂ…作用溝
５０，２５０…ソレノイド（駆動源）
５６，２５６…プランジャ（駆動部）
８０，２８０…筐体
９０，２９０…台板
９２ａ，９２ｂ，２９２ａ，２９２ｂ…側壁（ガイド部）
９８ａ，９８ｂ，２９８ａ，２９８ｂ…ガイド壁（ガイド部）
１０２，１０３…ガイド壁（ガイド部）
１０５，２９５…後方ガイド部
Ａ１，Ａ２…回動軸線
【図１】
0005700431.tif 000002
【図２】
0005700431.tif 000003
【図３】
0005700431.tif 000004
【図４】
0005700431.tif 000005
【図５】
0005700431.tif 000006
【図６】
0005700431.tif 000007
【図７】
0005700431.tif 000008
【図８】
0005700431.tif 000009
【図９】
0005700431.tif 000010
【図１０】
0005700431.tif 000011
【図１１】
0005700431.tif 000012
【図１２】
0005700431.tif 000013
【図１３】
0005700431.tif 000014
【図１４】
0005700431.tif 000015
【図１５】
0005700431.tif 000016
【図１６】
0005700431.tif 000017
【図１７】
0005700431.tif 000018
【図１８】
0005700431.tif 000019
【図１９】
0005700431.tif 000020
【図２０】
0005700431.tif 000021
【図２１】
0005700431.tif 000022
【図２２】
0005700431.tif 000023
【図２３】
0005700431.tif 000024
【図２４】
0005700431.tif 000025
【図２５】
0005700431.tif 000026
【図２６】
0005700431.tif 000027
【図２７】
0005700431.tif 000028
【図２８】
0005700431.tif 000029
【図２９】
0005700431.tif 000030